(57)【要約】【課題】  扉に穴を開け、この穴から細い工具を差し入れてサムターンを回すことによる不正解錠を防止する。【解決手段】  カップ状体の外周面に夫々切欠を形成した内側及び外側連結部材１２、１６を、筒部が重合する態様で、同軸かつ相対回動可能に連結し、これら内側及び外側連結部材の一方をサムターン軸１３に、他方を摘みに連結すると共に、内側連結部材内にサムターンの作動トルクより小さい出力トルクの捩りばね１９を弾装し、この捩りばねの両端に形成され、連結部材の半径方向外方に突出する係合片２３、２３を、内側及び外側連結部材の切欠２１を共通に挿通させて連結部材外に延伸させる。【選択図】  図４
2005030130.tif 000002
【特許請求の範囲】
【請求項１】
カップ状体の外周面に夫々切欠を形成した内側及び外側連結部材を、筒部が重合する態様で、同軸かつ相対回動可能に連結し、これら内側及び外側連結部材の一方をサムターン軸に、他方を摘みに連結すると共に、内側連結部材内にサムターンの作動トルクより小さい出力トルクの捩りばねを弾装し、この捩りばねの両端に形成され、連結部材の半径方向外方に突出する係合片を、内側及び外側連結部材の切欠を共通に挿通させて連結部材外に延伸させ、一方、一体的に連結されたこれら内側及び外側連結部材、サムターン軸及び摘みを室内側の扉面に回動自在に支承したことを特徴とする防犯サムターン。
【請求項２】
上記捩りばねが捩りコイルばねである請求項１記載の防犯サムターン。
【請求項３】
上記内側及び外側連結部材の切欠の側端縁が連結部材の中心軸を見込む角度を同一に設定した請求項１及び２に記載の防犯サムターン。
【発明の詳細な説明】
【技術分野】
【０００１】
この発明は、防犯サムターンに係り、特に、扉に穴を開けて室内に工具を差込み、不正解錠の目的でサムターンを回すことを防止できる防犯サムターンに関する。
【背景技術】
【０００２】
周知のように、サムターンは室内側に突出した摘みを有し、この摘みに装着されたサムターン軸を錠箱内のデッドカムに連結させて、室内側から錠前を施解錠するものである。
【０００３】
ところで、近年扉のノブ付近に穴を開け、この穴から細い工具を差込んで、サムターンを不正解錠の目的で操作する犯罪行為が頻発している。
【０００４】
そこで、サムターンを室外側から操作することを邪魔するため、サムターンの回りに低い障壁を設けたり、或いはカバーで覆う、等の対策が採られているが、これらのカバー等が今度は通常のサムターンの操作の邪魔になる、等未だ改良の余地がある。
【発明の開示】
【発明が解決しようとする課題】
【０００５】
そこで、この発明は、サムターンの回りにカバー等を設けない新規な防犯サムターンを提供し、以て、サムターンの操作性を損わずに防犯性能を向上させることを目的としている。
【課題を解決するための手段】
【０００６】
上記の目的を達成するため、請求項１に記載の発明は、カップ状体の外周面に夫々切欠を形成した内側及び外側連結部材を、筒部が重合する態様で、同軸かつ相対回動可能に連結し、これら内側及び外側連結部材の一方をサムターン軸に、他方を摘みに連結すると共に、内側連結部材内にサムターンの作動トルクより小さい出力トルクの捩りばねを弾装し、この捩りばねの両端に形成され、連結部材の半径方向外方に突出する係合片を、内側及び外側連結部材の切欠を共通に挿通させて連結部材外に延伸させ、一方、一体的に連結されたこれら内側及び外側連結部材、サムターン軸及び摘みを室内側の扉面に回動自在に支承したことを特徴とする。
【０００７】
また、請求項２に記載の発明は、上記捩りばねが捩りコイルばねであることを特徴とする。
【０００８】
更にまた、請求項３に記載の発明は、上記内側及び外側連結部材の切欠の側端縁が連結部材の中心軸を見込む角度を同一に設定したことを特徴とする。
【発明の効果】
【０００９】
この発明による防犯サムターンは、施解錠のため摘みを所定の方向に回すと、捩りばねが弾性変形して所定の角度摘みのみが空転し、所定の角度回してから初めてサムターン軸が回動を始めるので、通常のサムターンよりも作動角度が大きくなり、そのため扉のに開けた穴から室内に差込んだ工具ではサムターンを回し切れず、不正解錠が不可能になる。
【発明を実施するための最良の形態】
【００１０】
施解錠のためのサムターンの摘みの回動を大きくして室外からの不正解錠を不可能にするという本発明の目的を、外周部に切欠を有するカップ状の内側及び外側連結部材と、内側連結部材に弾装された捩りばねとで一種のクラッチを構成し、摘みによる最初の所定の角度空転させることにより簡単な構成で実現した。
【実施例１】
【００１１】
以下、この発明の実施例を図面を参照して説明する。
図１乃至図３において符号１は中筒を示し、この発明による防犯サムターンはこの中筒１内に回動可能に支承されている。
【００１２】
この中筒１と同様の構成のものは、例えば扉外面に装着されるシリンダ錠を保持するものと同じ構成であり、それ自体周知であるから、以下の説明は簡単にする。
【００１３】
中筒１は、底面に開口を有する厚肉カップ状のブロック体で、その開口端円には一対の取付ブロック２、２が突設されている。
【００１４】
この中筒１は、その開口端部を扉内面に開口した中筒挿通孔３（図１参照）及び図示しない錠箱の側板の開口を通して錠箱内に挿入され、扉の自由側端縁に装着される錠箱のフロント板を水平に貫通する図示しない取付杆を、取付ブロックの装着孔４（図１参照）に挿入することにより錠箱に固定される。なお、図１及び図２において符号５は公知の化粧リングを示す。
【００１５】
上記中筒１の室内側（図１及び図２で左側）にはサムターンの摘み部が回動自在に装着されている。
【００１６】
図示の実施例では、サムターンの摘み６及びこれに一体的に結合された連結板７（図１参照）に薄肉の支持筒８をかしめ付け、この支持筒８の外端（図１及び図２で右端）部を、その開口端縁に突設された爪９を曲げない状態で、中筒１の内孔段部に係止された大径の第１ワッシャー１１の開口を通して外側に挿通させる。
【００１７】
そして、第１ワッシャー１１の外側（室外側）に突出した支持筒８の外端にカップ状の内側連結部材１２をかしめにより一体的に装着する。なお、このかしめによる装着は、内側連結部材１２の底面の図示しない開口に上記支持筒の爪９を挿入し、図１に示すようにこれを外側に折り曲げることにより行うが、この様なかしめ加工は周知であるから更に詳細な説明は省略する。
【００１８】
このようにして、外端に内側連結部材１２を一体的に装着した支持筒８付の摘み６が、抜け止めを施された状態で、中筒１に回動可能に支承されることになる。
【００１９】
一方、図３に示すように断面が略十字形のサムターン軸１３の中央部には、付番しない段部が形成されており、この段部より室内側の部分に、室外側から順に、第２ワッシャー１４（図１参照）、サムターン軸に外接する開口を有する偏平なカップ状のサムターンガイド１５、底面にサムターン軸の断面と形状係合する異形穴を開口させたカップ状の外側連結部材１６、及びＥ型止め輪１７が装着され、これらは一体的に連結されている。
【００２０】
なお、内側及び外側連結部材１２、１６の内側及び外側は、室内側、室外側の内側、外側ではなく、連結部材の中心軸に関し、半径方向の内側及び外側をいうものとする。
【００２１】
上記した一連の部材を連結したものは、外側連結部材１６の開口と内側連結部材１２の開口とを相互に対向させた状態でこれらを回動可能に嵌合させ、また、サムターンガイド１５の開口端縁を中筒１の段部に係合させるようにして、中筒の内孔開口端縁部に装着され、抜け止めのためＣ型止め輪１８を嵌着する。
【００２２】
このようにして、錠箱内のデッドカムに連結されるサムターン軸１３を、抜け止めを施した状態で、中筒１に回動可能に支承する。
【００２３】
上記内側連結部材１２内には、捩りコイルばねとしての捩りばね１９が弾装されており、上記サムターン軸１３及び前記摘み６は、この捩りばね１９を介して、円周方向において係脱可能に連結されている。
【００２４】
すなわち、図４に示すように、内側及び外側連結部材１２、１６には夫々切欠２１が形成されており、図示の実施例では、この切欠２１の側端縁２２、２２（図５参照）が連結部材の中心軸を見込む角度が約９０度となるように設定されている。
【００２５】
また、内側連結部材１２内においてサムターン軸１３の回りに巻装された捩りばね１９の両端に形成され、夫々連結部材１２（１６）の半径方向外方に突出する係合片２３、２３は、内側及び外側連結部材１２、１６の切欠２１、２１を共通に、すなわち両方の切欠を双方とも挿通させて外側連結部材１６外に延伸している。
【００２６】
なお、図４に示す捩りばね１９は少し巻き締められた状態で内側連結部材１２内に弾装されており、したがって、係合片２３、２３は外側に拡開する方向に付勢されているが、内側及び外側連結部材の切欠の側端縁２２に係止されていて、内側及び外側連結部材１２、１３の関係角度位置が保たれている。
【００２７】
なお、図４に示すサムターン軸１３は例えば解錠角度位置にあるものとし、このときの捩りばね１９の出力トルク、すなわち、摘み６を回そうとしたとき手指に反作用として感じられるトルクは、サムターン１３の作動トルク、すなわち、サムターンが錠箱内のデッドカムを施錠状態に回すに必要なトルクより小さく設定するものとする。
【００２８】
上記のように構成されたこの発明の一実施例による防犯サムターンは、解錠状態にあるデッドカムを施錠するため、例えば摘み６を時計方向に回動させると、デッドカムに掴持されたサムターン軸１３を解錠角度位置に残した状態で、摘み６及びこれと一体の内側連結部材１２が時計方向に回動する。
【００２９】
このとき、上記したように捩りばね１９の出力トルクはサムターン１３の作動トルクより小さいので、外側連結部材１６は不動の状態で解錠角度位置に残り、内側連結部材１２のみが時計方向に回動する。
【００３０】
そして、摘み６を例えば９０度回すと、図５に示すように、内側連結部材１２の切欠の、前進側の側端縁が図５で下方（紙面方向向う側）の係合片を外側連結部材の切欠の側端縁に押し付けるに致り、以降、内側連結部材１２が、この係合片６を介して、外側連結部材１６及びこれと一体のサムターン軸１３に剛的に連結される。
【００３１】
そのため、摘み６を回す手指の力が直接サムターン軸１３に伝達され、従来のサムターンと同様に、例えば９０度の回転でデッドカムを回し、錠前を施錠する。
【００３２】
解錠後摘みから手を話すと、図６に示すように、サムターン軸１３を施錠角度位置に残したまま、捩りばね１９が内側連結部材１２のみを反時計方向に回転させる。
【００３３】
すなわち、外から見れば、摘み６を回すと最初の９０度は摘み６は空転し、その後の９０度の回動で摘み及びサムターン軸１３は一体的に回動して錠前を施錠する。
【００３４】
施錠後手を離せば、捩りばねの弾力により摘みのみが９０度反時計方向に戻る。この場合、摘みは１８０度回って９０度戻るから、通常のサムターンと同様に摘みの角度位置で施錠解錠を表示できる。
【００３５】
また、施錠された錠前をサムターンを用いて室内側から解錠するには、図６に示す角度位置にある内側連結部材１２を摘みを用いて反時計方向に回動する。
【００３６】
すると、今度は図６において下方にある内側連結部材１２の切欠の側端縁が下方（図６で手前側）の係合片６を反時計方向に押動する。
【００３７】
そして、図６で手前側の係合片２３の角度位置が紙面方向向う側の係合片２３のそれと合致するに致り、内側及び外側連結部材１２、１６が円周方向において一体的に連結され、外側連結部材１６及びこれと一体のサムターン軸１３を反時計方向、すなわち解錠方向に回動させて図４に示す解錠角度位置に迄回す。
【００３８】
このようにして解錠操作が終了した後手を摘み６から離すと、捩りばね１９の弾力により内側操作部材１２が時計方向に９０度回動し、図４に示す元の角度位置に戻る。
【実施例２】
【００３９】
なお、この発明は、図示の実施例に限定されず、種々に変形して実施することができる。
【００４０】
例えば、図示の実施例では内側連結部材１２を摘み６側に、外側連結部材１６をサムターン軸１３側に夫々連結するものとしたが、これは摘み６側の連結部材の径を大きくして外側連結部材としてもよい（図示せず）。
【実施例３】
【００４１】
また、図示の実施例では夫々カップ状の内側及び外側連結部材１２、１６を開口を相互に対向させて重合させたが、これは入れ子状に重合させてもよい（図示せず）。
【実施例４】
【００４２】
更にまた、図示の実施例では内側及び外側連結部材１２、１６の切欠の側端縁が中心軸を見込む角度を同じにしたが、これは異なる角度でもよい（図示せず）。
【００４３】
例えば、内側連結部材１２の切欠の角度を外側連結部材１６のそれよりも小さく設定すると（図示せず）、摘み６側の連結部材がばねの弾力を受けることなく遊動するが、それ自体この発明の作動には悪影響を与えない。
【００４４】
しかしながら、摘み６を回すと、何の抵抗も無い遊動、ばねの弾力の抵抗を受ける遊動、及びサムターン軸と連結されての作動の３種類の手ごたえが生じるので、使い勝手が少し悪くなる、という不都合はある。
【００４５】
これは、内側連結部材１２の切欠の角度を外側連結部材１６のそれよりも大きく設定した場合も同様である。
【実施例５】
【００４６】
一方、上記の説明から明らかなように、摘みの遊動角度は連結部材の切欠の円周方向の寸法によって一義的に定まる。
【００４７】
また、図示の実施例ではサムターン軸の作動角度を９０度、すなわち、デッドカムを９０度時計方向或いは反時計方向に回動させることにより施錠或いは解錠を行うものとしたが、サムターンの作動角度は９０度に限らず４５度のものもあり、また、摘みの遊動角度も任意に設定できるから、連結部材の切欠の円周方向の寸法は任意に設定できる。
【図面の簡単な説明】
【００４８】
【図１】この発明の一実施例による防犯サムターンの鉛直平面による断面図。
【図２】この発明の一実施例による防犯サムターンの水平平面による断面図。
【図３】この発明の一実施例による防犯サムターンの裏面図。
【図４】図２のＩＶ−ＩＶ線による連結部材の断面図で、解錠状態を示す。
【図５】図４と同様の連結部材の断面図で、摘みの遊動の終端を示す。
【図６】図４と同様の連結部材の断面図で、施錠状態を示す。
【符号の説明】
【００４９】
１  中筒
２  取付ブロック
６  摘み
７  連結板
８  支持筒
９  爪
１２  内側連結部材
１３  サムターン軸
１６  外側連結部材
１９  捩りばね
２１  切欠
２２  側端縁
２３  係合片
【図１】
2005030130.tif 000003
【図２】
2005030130.tif 000004
【図３】
2005030130.tif 000005
【図４】
2005030130.tif 000006
【図５】
2005030130.tif 000007
【図６】
2005030130.tif 000008